(57)【要約】【課題】アダプタを介して電気的に連動しない相手側機器が取り付けられた場合でも、新ボディ又は新レンズの機能を可能な限り使用できるようにする。【解決手段】本発明に係わるアダプタ（３０）は、交換レンズ（１０）が取り付けられる第１マウント部（３１）と、カメラボディ（２０）が取り付けられる第２マウント部（３２）と、前記第２マウント部に取り付けられた前記カメラボディに対して、前記交換レンズに対する制御に関連しない撮影補助機能が動作可能となるような設定をさせるための固有データを記憶する記憶手段（３７）と、前記第２マウント部に取り付けられた前記カメラボディに対して前記固有データを送信する通信手段（３５）と、を備える。【選択図】図１
2012118376.tif 000002
【特許請求の範囲】
【請求項１】
交換レンズを取り付け可能なアダプタが取り付けられるマウント部と、
前記マウント部に取り付けられた前記アダプタとの間でデータの送受信を行う通信手段と、
前記アダプタに関する所定の固有データを前記通信手段で受信した場合は、前記アダプタに取り付けられる前記交換レンズに対する制御に関連しない撮影補助機能が動作可能となるように設定する機能制御手段と、
を備えることを特徴とするカメラボディ。
【請求項２】
請求項１に記載のカメラボディであって、
情報表示が可能な表示手段を備え、
前記機能制御手段は、前記交換レンズに対する制御に関連しない撮影補助機能が動作可能となるように設定した場合は、前記撮影補助機能に関する情報を前記表示手段に表示させることを特徴とするカメラボディ。
【請求項３】
請求項１又は２に記載のカメラボディであって、
前記交換レンズに対する制御に関連しない撮影補助機能が、被写体像を撮像する撮像素子を移動することにより手振れの補正を行う防振制御機能であることを特徴とするカメラボディ。
【請求項４】
交換レンズが取り付けられる第１結合部と、
カメラボディが取り付けられる第２結合部と、
前記第２結合部に取り付けられた前記カメラボディに対して、前記交換レンズに対する制御に関連しない撮影補助機能が動作可能となるような設定をさせるための固有データを記憶する記憶手段と、
前記第２結合部に取り付けられた前記カメラボディに対して前記固有データを送信する通信手段と、
を備えることを特徴とするアダプタ。
【請求項５】
請求項４に記載のアダプタであって、
前記通信手段は、前記第１結合部に前記交換レンズが取り付けられている場合に、前記第２結合部に取り付けられた前記カメラボディに対し前記記憶手段に記憶された前記固有データを送信することを特徴とするアダプタ。
【請求項６】
請求項４又は５に記載のアダプタであって、
前記通信手段を動作させるための電力を供給する電源手段と、
前記第１結合部に前記交換レンズが取り付けられ、且つ前記第２結合部に前記カメラボディが取り付けられた場合に、前記電源手段に電力を供給させる制御を行う電源制御手段と、
を備えることを特徴とするアダプタ。
【請求項７】
請求項４〜６のいずれか一項に記載のアダプタであって、
前記交換レンズに対する制御に関連しない撮影補助機能が、前記カメラボディにおいて、被写体像を撮像する撮像素子を移動することにより手振れの補正を行う防振制御機能であることを特徴とするアダプタ。
【請求項８】
交換レンズが取り付けられる第１結合部と、
カメラボディが取り付けられる第２結合部と、
前記第１結合部に取り付けられた前記交換レンズに対して、前記カメラボディからの制御に関連しない撮影補助機能が動作可能となるような設定をさせるための固有データを記憶する記憶手段と、
前記第１結合部に取り付けられた前記交換レンズに対し前記固有データを送信する通信手段と、
を備えることを特徴とするアダプタ。
【請求項９】
請求項８に記載のアダプタであって、
前記通信手段は、前記第２結合部に前記カメラボディが取り付けられている場合に、前記第１結合部に取り付けられた前記交換レンズに対し前記記憶手段に記憶された前記固有データを送信することを特徴とするアダプタ。
【請求項１０】
請求項８又は９に記載のアダプタであって、
前記通信手段を動作させるための電力を供給する電源手段と、
前記第１結合部に前記交換レンズが取り付けられ、且つ前記第２結合部に前記カメラボディが取り付けられた場合に、前記電源手段に電力を供給させる制御を行う電源制御手段と、
を備えることを特徴とするアダプタ。
【請求項１１】
請求項８又は９に記載のアダプタであって、
前記第１結合部に取り付けられた前記交換レンズに対して電力を供給する電源手段を備えることを特徴とするアダプタ。
【請求項１２】
請求項８〜１１のいずれか一項に記載のアダプタであって、
前記カメラボディからの制御に関連しない撮影補助機能が、前記交換レンズにおいて、被写体像を結像する光学系の一部を前記光学系の光軸方向と交差する方向に移動させることにより手振れの補正を行う防振制御機能であることを特徴とするアダプタ。
【請求項１３】
請求項４〜１２のいずれか一項に記載のアダプタであって、
前記第１結合部に取り付けられた前記交換レンズと共に被写体像を結像する光学部材を備えることを特徴とするアダプタ。
【請求項１４】
カメラボディ又はアダプタが取り付けられる結合部と、
前記結合部に取り付けられた前記カメラボディ又は前記アダプタとの間でデータの送受信を行う通信手段と、
前記アダプタに関する所定の固有データを前記通信手段で受信した場合は、外部からの制御に依存しないで実行可能な撮影補助機能が動作可能となるように設定する機能制御手段と、
を備えることを特徴とする交換レンズ。
【請求項１５】
請求項１４に記載の交換レンズであって、
入射する光の量を調整する絞り機構と、
前記所定の固有データを前記通信手段で受信した場合は、前記絞り機構を開放絞り位置に設定する絞り制御手段と、
を備えることを特徴とする交換レンズ。
【請求項１６】
請求項１４又は１５に記載の交換レンズであって、
前記結合部に取り付けられた前記アダプタから供給される電力により前記撮影補助機能を動作させることを特徴とする交換レンズ。
【請求項１７】
請求項１４又は１５に記載の交換レンズであって、
前記撮影補助機能を動作させるための電力を供給する電源手段を備えることを特徴とする交換レンズ。
【請求項１８】
請求項１４〜１７のいずれか一項に記載の交換レンズであって、
前記撮影補助機能が、被写体像を結像する光学系の一部を前記光学系の光軸方向と交差する方向に移動させることにより手振れの補正を行う防振制御機能であることを特徴とする交換レンズ。
【発明の詳細な説明】
【技術分野】
【０００１】
本発明は、カメラボディ、アダプタ及び交換レンズに関するものである。
【背景技術】
【０００２】
従来、カメラボディに対して機械的及び電気的に連動しない交換レンズを、そのカメラボディに取り付け可能とするアダプタが市販されている。このアダプタは、カメラボディが取り付けられるボディ側マウント部と、交換レンズが取り付けられるレンズ側マウント部とを備える。
【０００３】
この種のアダプタに関する従来技術として、アダプタに取り付けられた光学系部材の突出量を検出して、その突出量に応じた信号をカメラ本体に送信することにより、カメラ本体側が、その信号によりどのような光学系部材が取り付けられたかを認識できるようにしたカメラ装置用アダプタが提案されている（特許文献１参照）。
【先行技術文献】
【特許文献】
【０００４】
【特許文献１】特開２００７−７９３６２号公報
【発明の概要】
【発明が解決しようとする課題】
【０００５】
上記従来技術のように、アダプタの先端側に取り付けられる光学系部材がワイドコンバータやテレコンバータであれば、カメラ本体と光学系部材との間が電気的に連動していなくても、光学系部材やカメラ本体の機能に制約を受けることはない。
【０００６】
しかしながら、最新のボディ（以下、新ボディという）に、アダプタを介して旧式の交換レンズ（以下、旧レンズという）を取り付けた場合や、旧式のボディ（以下、旧ボディという）に、従来のアダプタを介して最新のレンズ（以下、新レンズという）を取り付けた場合は、ボディとレンズとの間が電気的に連動しないために以下のような不具合を生じる。
【０００７】
すなわち、新ボディ及び新レンズが、外部からの制御に依存することなく実行可能な機能を備えていても、従来のアダプタを介して旧レンズ又は旧ボディを取り付けた場合には、電気的に制御される多くの機能が使えなくなってしまう。このように、ユーザは、新ボディ又は新レンズに使用できる機能を備えていても、これらの機能を十分に活かすことができないという課題があった。
【０００８】
本発明の課題は、アダプタを介して電気的に連動しない相手側機器が取り付けられた場合でも、新ボディ又は新レンズの機能を可能な限り使用できるようにしたカメラボディ、アダプタ及び交換レンズを提供することにある。
【課題を解決するための手段】
【０００９】
本発明は、以下のような解決手段により前記課題を解決する。なお、理解を容易にするために、本発明の実施形態に対応する符号を付して説明するが、これに限定されるものではない。
請求項１に記載の発明は、交換レンズ（１０）を取り付け可能なアダプタ（３０）が取り付けられるマウント部（２６）と、前記マウント部に取り付けられた前記アダプタとの間でデータの送受信を行う通信手段（２３）と、前記アダプタに関する所定の固有データを前記通信手段で受信した場合は、前記アダプタに取り付けられる前記交換レンズに対する制御に関連しない撮影補助機能が動作可能となるように設定する機能制御手段（２５）と、を備えることを特徴とするカメラボディ（２０）である。
請求項２に記載の発明は、請求項１に記載のカメラボディ（２０）であって、情報表示が可能な表示手段（２４）を備え、前記機能制御手段（２５）は、前記交換レンズ（１０）に対する制御に関連しない撮影補助機能が動作可能となるように設定した場合は、前記撮影補助機能に関する情報を前記表示手段に表示させることを特徴とする。
請求項３に記載の発明は、請求項１又は２に記載のカメラボディ（２０）であって、前記交換レンズ（１０）に対する制御に関連しない撮影補助機能が、被写体像を撮像する撮像素子（２１）を移動することにより手振れの補正を行う防振制御機能であることを特徴とする。
請求項４に記載の発明は、交換レンズ（１０）が取り付けられる第１結合部（３１）と、カメラボディ（２０）が取り付けられる第２結合部（３２）と、前記第２結合部に取り付けられた前記カメラボディに対して、前記交換レンズに対する制御に関連しない撮影補助機能が動作可能となるような設定をさせるための固有データを記憶する記憶手段（３７）と、前記第２結合部に取り付けられた前記カメラボディに対して前記固有データを送信する通信手段（３５）と、を備えることを特徴とするアダプタ（３０）である。
請求項５に記載の発明は、請求項４に記載のアダプタ（３０）であって、前記通信手段（３５）は、前記第１結合部（３１）に前記交換レンズ（１０）が取り付けられている場合に、前記第２結合部（３２）に取り付けられた前記カメラボディ（２０）に対し前記記憶手段（３７）に記憶された前記固有データを送信することを特徴とする。
請求項６に記載の発明は、請求項４又は５に記載のアダプタ（３０）であって、前記通信手段（３５）を動作させるための電力を供給する電源手段（３６）と、前記第１結合部（３１）に前記交換レンズ（１０）が取り付けられ、且つ前記第２結合部（３２）に前記カメラボディ（２０）が取り付けられた場合に、前記電源手段に電力を供給させる制御を行う電源制御手段（３８）と、を備えることを特徴とする。
請求項７に記載の発明は、請求項４〜６のいずれか一項に記載のアダプタ（３０）であって、前記交換レンズ（１０）に対する制御に関連しない撮影補助機能が、前記カメラボディ（２０）において、被写体像を撮像する撮像素子を移動することにより手振れの補正を行う防振制御機能であることを特徴とする。
請求項８に記載の発明は、交換レンズ（４０）が取り付けられる第１結合部（６１）と、カメラボディ（５０）が取り付けられる第２結合部（６２）と、前記第１結合部に取り付けられた前記交換レンズに対して、前記カメラボディからの制御に関連しない撮影補助機能が動作可能となるような設定をさせるための固有データを記憶する記憶手段（６７）と、前記第１結合部に取り付けられた前記交換レンズに対し前記固有データを送信する通信手段（６５）と、を備えることを特徴とするアダプタ（６０）である。
請求項９に記載の発明は、請求項８に記載のアダプタ（６０）であって、前記通信手段（６５）は、前記第２結合部（６２）に前記カメラボディ（５０）が取り付けられている場合に、前記第１結合部（６１）に取り付けられた前記交換レンズ（４０）に対し前記記憶手段（６７）に記憶された前記固有データを送信することを特徴とする。
請求項１０に記載の発明は、請求項８又は９に記載のアダプタ（６０）であって、前記通信手段（６５）を動作させるための電力を供給する電源手段（６６）と、前記第１結合部（６１）に前記交換レンズ（４０）が取り付けられ、且つ前記第２結合部（６２）に前記カメラボディ（５０）が取り付けられた場合に、前記電源手段に電力を供給させる制御を行う電源制御手段（６９）と、を備えることを特徴とする。
請求項１１に記載の発明は、請求項８又は９に記載のアダプタ（６０）であって、前記第１結合部（６１）に取り付けられた前記交換レンズ（４０）に対して電力を供給する電源手段（６８）を備えることを特徴とする。
請求項１２に記載の発明は、請求項８〜１１のいずれか一項に記載のアダプタ（６０）であって、前記カメラボディ（５０）からの制御に関連しない撮影補助機能が、前記交換レンズ（４０）において、被写体像を結像する光学系の一部を前記光学系の光軸方向と交差する方向に移動させることにより手振れの補正を行う防振制御機能であることを特徴とする。
請求項１３に記載の発明は、請求項４〜１２のいずれか一項に記載のアダプタ（６０）であって、前記第１結合部（６１）に取り付けられた前記交換レンズ（４０）と共に被写体像を結像する光学部材を備えることを特徴とする。
請求項１４に記載の発明は、カメラボディ又はアダプタ（６０）が取り付けられる結合部（４６）と、前記結合部に取り付けられた前記カメラボディ又は前記アダプタとの間でデータの送受信を行う通信手段（４４）と、前記アダプタに関する所定の固有データを前記通信手段で受信した場合は、外部からの制御に依存しないで実行可能な撮影補助機能が動作可能となるように設定する機能制御手段（４５）と、を備えることを特徴とする交換レンズ（４０）である。
請求項１５に記載の発明は、請求項１４に記載の交換レンズ（４０）であって、入射する光の量を調整する絞り機構（４３）と、前記所定の固有データを前記通信手段（４４）で受信した場合は、前記絞り機構を開放絞り位置に設定する絞り制御手段（４５）と、を備えることを特徴とする。
請求項１６に記載の発明は、請求項１４又は１５に記載の交換レンズ（４０）であって、前記結合部（４６）に取り付けられた前記アダプタ（６０）から供給される電力により前記撮影補助機能を動作させることを特徴とする。
請求項１７に記載の発明は、請求項１４又は１５に記載の交換レンズ（４０）であって、前記撮影補助機能を動作させるための電力を供給する電源手段を備えることを特徴とする。
請求項１８に記載の発明は、請求項１４〜１７のいずれか一項に記載の交換レンズ（４０）であって、前記撮影補助機能が、被写体像を結像する光学系の一部を前記光学系の光軸方向と交差する方向に移動させることにより手振れの補正を行う防振制御機能であることを特徴とする。
なお、符号を付して説明した構成は、適宜改良してもよく、また、少なくとも一部を他の構成物に代替してもよい。
【発明の効果】
【００１０】
本発明によれば、アダプタを介して電気的に連動しない相手側機器が取り付けられた場合でも、新ボディ又は新レンズの機能を可能な限り使用できるようにしたカメラボディ、アダプタ及び交換レンズを提供することができる。
【図面の簡単な説明】
【００１１】
【図１】第１実施形態におけるカメラシステムの構成を示すブロック図である。
【図２】第１実施形態のカメラシステムにおいてカメラボディの機能制御を行う場合の処理手順を示すフローチャートである。
【図３】第２実施形態におけるカメラシステムの構成を示すブロック図である。
【図４】第２実施形態のカメラシステムにおいてカメラボディの機能制御を行う場合の処理手順を示すフローチャートである。
【発明を実施するための形態】
【００１２】
以下、図面を参照して、本発明に係わるカメラボディ、アダプタ及び交換レンズの実施形態について説明する。
（第１実施形態）
図１は、第１実施形態におけるカメラシステム１の構成を示すブロック図である。本実施形態のカメラシステム１は、レンズ交換可能なデジタルカメラシステムであり、交換レンズ１０、カメラボディ２０、アダプタ３０により構成される。
【００１３】
本実施形態のカメラボディ２０とアダプタ３０は、同一のメーカーＡにより製造されたものである。また、交換レンズ１０は、メーカーＡとはマウント部の規格が異なるメーカーＢの製品又はメーカーＡの製品であって、現行品とはマウント部の規格が異なる旧レンズである。本実施形態では、交換レンズ１０をメーカーＡの旧レンズ、カメラボディ２０をメーカーＡの新ボディ、アダプタ３０をメーカーＡの製品として説明する。
【００１４】
交換レンズ１０は、光学系部材としてのレンズ群１１を備えたレンズ鏡筒である。レンズ群１１は、交換レンズ１０の内部に保持され、焦点調節のために、少なくとも一部のレンズが光軸方向に移動可能に構成されている。交換レンズ１０のカメラボディ２０側の端部には、レンズ側マウント部１２が設けられている。レンズ側マウント部１２には、交換レンズ１０と同じ規格のボディ側マウント部を有する旧ボディ、又はレンズ側マウント部３１を有する本実施形態のアダプタ３０を取り付けることができる。
【００１５】
カメラボディ２０は、撮像素子２１、防振制御機構２２、通信部２３、液晶モニタ２４、ボディ側ＣＰＵ２５を備える。
【００１６】
撮像素子２１は、交換レンズ１０のレンズ群１１により結像された被写体像を撮像するイメージセンサであり、ＣＣＤ又はＣＭＯＳなどで構成されている。この撮像素子２１で撮像された画像は、不図示の画像処理部によりアナログ及びデジタルの画像処理が施されて画像データとして出力され、不図示の記録媒体に保存される。
【００１７】
防振制御機構２２は、撮像素子２１を、レンズ群１１の光軸方向と交差する方向に移動させることにより、手振れによる被写体像の動きを補正する機構である。防振制御機構２２は、カメラボディ２０の振れを検出する振れ検出センサ、撮像素子２１を上下左右に移動させるアクチュエータ、アクチュエータを駆動する駆動制御回路など（いずれも不図示）で構成されている。防振制御機構２２による手振れ補正の動作は、ボディ側ＣＰＵ２５により制御されている。本実施形態において、防振制御機構２２による手振れ補正の機能は、交換レンズ１０に対する制御に関連しない撮影補助機能の一つである。
【００１８】
通信部２３は、後述のボディ側マウント部２６に取り付けられたアダプタ３０又はカメラボディ２０の機能に対応した新レンズとの間でデータの送受信を行う通信手段である。カメラボディ２０のボディ側マウント部２６には、不図示の電気接点が複数設けられている。これらの電気接点は、データや電力供給のために使用される。
【００１９】
カメラボディ２０のボディ側マウント部２６に相手側機器（アダプタ３０又は新レンズ）を取り付けると、カメラボディ２０側の電気接点と相手側機器の電気接点との間が導通して、データの送受信が可能となる。後述するアダプタ３０から送信される固有データは、通信部２３を介してボディ側ＣＰＵ２５に送られる。
【００２０】
液晶モニタ２４は、撮像素子２１で撮像された静止画や動画の再生、撮影条件に関する情報、メニュー画面やモード設定などに関する情報画面、各種メッセージなどを表示する表示手段である。カメラボディ２０は、液晶モニタ２４に画像を表示するための、不図示の画像制御回路や駆動回路を備える。液晶モニタ２４における画像の表示は、ボディ側ＣＰＵ２５により制御されている。
【００２１】
ボディ側ＣＰＵ２５は、カメラボディ２０全体の動作を制御する中央処理装置である。ボディ側ＣＰＵ２５は、撮像時に、ＡＦ（オートフォーカス）制御、ＡＥ（自動露出）制御、防振制御、撮像素子２１による撮像／画像処理、不図示の絞り機構やシャッタ機構の制御、記録媒体への記録処理などを行う。
【００２２】
また、ボディ側ＣＰＵ２５は、通信部２３を介して、ボディ側マウント部２６に取り付けられた相手側機器のＣＰＵとの間でデータの送受信を行う。ボディ側ＣＰＵ２５は、通信部２３からアダプタ３０に関する所定の固有データを受信した場合は、交換レンズ１０に対する制御に関連する撮影補助機能として、オートフォーカス機能、シャッタ優先ＡＥモードやプログラムＡＥモードなどの機能が制限されるように設定する。
【００２３】
また、ボディ側ＣＰＵ２５は、交換レンズ１０に対する制御に関連しない撮影補助機能として、実絞り優先ＡＥモード、マニュアル露出モード、感度優先ＡＥモードの機能、及び防振制御機構２２などの機能が動作可能となるように設定する。なお、アダプタ３０に関する所定の固有データについては後述する。このような機能設定を行った後、ボディ側ＣＰＵ２５は、動作可能となるように設定した撮影補助機能の項目（又はアイコン）を、液晶モニタ２４に表示する。
【００２４】
また、カメラボディ２０の交換レンズ１０側には、ボディ側マウント部２６が設けられている。このボディ側マウント部２６には、カメラボディ２０と同じ規格のレンズ側マウント部をもつ新レンズ、又は本実施形態のアダプタ３０のボディ側マウント部３２を取り付けることができる。
【００２５】
アダプタ３０は、カメラボディ２０に対して機械的及び電気的に連動しない交換レンズ１０を、カメラボディ２０に取り付け可能とするための接続機器である。アダプタ３０の交換レンズ１０側の端部には、レンズ側マウント部３１が設けられている。レンズ側マウント部３１には、交換レンズ１０と同じ規格のレンズ側マウント部１２を取り付けることができる。また、アダプタ３０のカメラボディ２０側の端部には、ボディ側マウント部３２が設けられている。ボディ側マウント部３２には、カメラボディ２０と同じ規格のボディ側マウント部２６を取り付けることができる。
【００２６】
また、アダプタ３０は、レンズ検出部３３、ボディ検出部３４、通信部３５、電源部３６、内部メモリ３７、アダプタＣＰＵ３８を備える。
【００２７】
レンズ検出部３３は、アダプタ３０のレンズ側マウント部３１に交換レンズ１０が取り付けられたことを検出する検出手段である。レンズ検出部３３は、交換レンズ１０が取り付けられたことを検出すると、レンズ検出信号をアダプタＣＰＵ３８に送信する。ボディ検出部３４は、アダプタ３０のボディ側マウント部３２にカメラボディ２０が取り付けられたことを検出する検出手段である。ボディ検出部３４はカメラボディ２０が取り付けられたことを検出すると、ボディ検出信号をアダプタＣＰＵ３８に送信する。
【００２８】
レンズ検出部３３及びボディ検出部３４としては、メカスイッチによる検出（取り付け時にメカスイッチがオンする機構）、光学反射による検出（光センサによる光学的な読み取り検出）、通信成立可否の検出（電気接点から信号を送信したときの反応により判定）などの手法を用いることができる。
【００２９】
通信部３５は、ボディ側マウント部３２に取り付けられたカメラボディ２０との間でデータの送受信を行う通信手段である。アダプタ３０のボディ側マウント部３２には、不図示の電気接点が複数設けられている。アダプタ３０のボディ側マウント部３２にカメラボディ２０のボディ側マウント部２６を取り付けると、アダプタ３０の電気接点とカメラボディ２０側の電気接点との間が導通して、データの送受信が可能となる。
【００３０】
電源部３６は、通信部３５及びアダプタＣＰＵ３８を動作させるための電力を供給する電源手段である。電源部３６は、アダプタＣＰＵ３８に対し必要な電力を常時供給している。一方、電源部３６から通信部３５への電力の供給は、アダプタＣＰＵ３８により制御されている。図１では、電力の供給ラインを破線で示している。
【００３１】
内部メモリ３７は、アダプタ３０に関する所定の固有データを記憶する記憶手段である。所定の固有データとは、カメラボディ２０のボディ側マウント部２６に取り付けられた相手側機器が同じメーカーＡのアダプタであり、且つ、旧レンズである交換レンズ１０を取り付けるためのアダプタであることを示すデータである。
【００３２】
アダプタＣＰＵ３８は、アダプタ３０の動作を制御する中央処理装置である。アダプタＣＰＵ３８は、レンズ検出部３３及びボディ検出部３４から、それぞれの検出信号を受信した場合は、電源部３６から通信部３５に電力が供給されるように制御する。そして、アダプタＣＰＵ３８は、内部メモリ３７に記憶されている所定の固有データを取得し、通信部３５を介してカメラボディ２０に送信する。
【００３３】
次に、上記のように構成されたカメラシステム１において、カメラボディ２０の機能制御を行う場合の処理手順を図２のフローチャートにより説明する。図２では、アダプタ３０とカメラボディ２０の処理をそれぞれ並列的に示している。
【００３４】
アダプタ３０のアダプタＣＰＵ３８は、ステップＳ１０１において、レンズ検出部３３からレンズ検出信号を受信したかどうかを判定する。また、ステップＳ１０２において、アダプタＣＰＵ３８は、ボディ検出部３４からボディ検出信号を受信したかどうかを判定する。ステップＳ１０１及びステップＳ１０２の判定が共にＹＥＳであれば、ステップＳ１０３において、アダプタＣＰＵ３８は、電源部３６から通信部３５に電力が供給されるように制御する。ステップＳ１０４において、アダプタＣＰＵ３８は、内部メモリ３７から所定の固有データを取得し、ステップＳ１０５において、通信部３５を介してカメラボディ２０に送信する。
【００３５】
一方、カメラボディ２０のボディ側ＣＰＵ２５は、ステップＳ２０１において、通信部２３でデータを受信し、ステップＳ２０２において、受信したデータがアダプタ３０に関する所定の固有データかどうかを判定する。この判定でＹＥＳであれば、ステップＳ２０３において、ボディ側ＣＰＵ２５は、交換レンズに対する制御に関連する撮影補助機能が制限されるように設定する。
【００３６】
続いて、ステップＳ２０４において、ボディ側ＣＰＵ２５は、交換レンズに対する制御に関連しない撮影補助機能が動作可能となるように設定する。そして、ステップＳ２０５において、ボディ側ＣＰＵ２５は、動作可能となるように設定した撮影補助機能の項目を、液晶モニタ２４に表示して、本フローチャートの処理を終了する。また、ステップＳ２０２の判定でＮＯであれば、ステップＳ２０６において、ボディ側ＣＰＵ２５は、その他の処理を実施して、本フローチャートの処理を終了する。
【００３７】
以上説明した第１実施形態によれば、以下のような効果を奏する。
（１）カメラボディ（新ボディ）２０にアダプタ３０を介して交換レンズ（旧レンズ）２０を取り付けると、カメラボディ２０では、交換レンズに対する制御に関連しない撮影補助機能が動作可能となるように設定されるので、ユーザは、新ボディと旧レンズとを組み合わせた場合においても、新ボディで使用することができる撮影補助機能を十分に活かした撮影を行うことができる。
（２）カメラボディ２０において、動作可能となるように設定した撮影補助機能の項目が液晶モニタ２４に表示されるので、ユーザは使用することができる機能を容易に理解することができる。
（３）アダプタ３０にカメラボディ２０と交換レンズ１０が取り付けられたときに、アダプタ３０の電源部３６から通信部３５に電力が供給されるので、アダプタ３０が使用されない期間の不要な電力消費を抑えることができる。
【００３８】
（第２実施形態）
図３は、第２実施形態におけるカメラシステム２の構成を示すブロック図である。本実施形態のカメラシステム２は、レンズ交換可能なアナログ（又はデジタル）カメラシステムであり、交換レンズ４０、カメラボディ５０、アダプタ６０により構成される。本実施形態の交換レンズ４０とアダプタ６０は、同一のメーカーＡにより製造されたものである。また、カメラボディ５０は、メーカーＡとはマウント部の規格が異なるメーカーＢの製品又はメーカーＡの製品であって、現行品とはマウント部の規格が異なる旧ボディである。本実施形態では、交換レンズ４０をメーカーＡの新レンズ、カメラボディ５０をメーカーＡの旧ボディ、アダプタ６０をメーカーＡの製品として説明する。
【００３９】
交換レンズ４０は、光学系部材としてのレンズ群４１を備えたレンズ鏡筒である。交換レンズ４０は、レンズ群４１のほかに、防振制御機構４２、絞り機構４３、通信部４４、レンズ側ＣＰＵ４５を備える。
【００４０】
レンズ群４１は、交換レンズ４０の内部に保持されている。レンズ群４１は、焦点調節のための不図示のフォーカシングレンズを備える。このフォーカシングレンズは、ＡＦモードにおいて、光軸方向に移動するように制御される。また、レンズ群４１は、手振れ補正のための不図示の補正レンズを備える。この補正レンズは、手振れ補正モードにおいて、光軸方向と交差する方向に移動するように制御される。
【００４１】
防振制御機構４２は、上述した補正レンズを、レンズ群１１の光軸方向と交差する方向に移動させることにより、手振れによる被写体像の動きを補正する機構である。防振制御機構４２は、交換レンズ４０の振れを検出する振れ検出センサ、補正レンズを上下左右に移動させるアクチュエータ、アクチュエータを駆動する駆動制御回路など（いずれも不図示）で構成されている。防振制御機構４２による手振れ補正の動作は、レンズ側ＣＰＵ４５により制御されている。本実施形態において、防振制御機構４２による手振れ補正の機能は、外部からの制御に依存しないで実行可能な撮影補助機能の一つである。
【００４２】
絞り機構４３は、複数の絞り羽根を組み合わせて光軸中心に開口を形成し、この開口の大きさを変化させることにより、レンズ群４１に入射する光の量を制御する機構である。絞り機構４３の動作は、レンズ側ＣＰＵ４５により制御される。後述するように、レンズ側ＣＰＵ４５が、通信部４４を介してアダプタ６０に関する所定の固有データを受信すると、絞り機構４３はレンズ側ＣＰＵ４５に制御されて、開放絞り位置となるように設定される。
【００４３】
通信部４４は、後述するレンズ側マウント部４６に取り付けられたアダプタ６０との間でデータの送受信を行う通信手段である。交換レンズ４０のレンズ側マウント部４６には、不図示の電気接点が複数設けられている。これらの電気接点は、データや電力供給のために使用される。
【００４４】
レンズ側ＣＰＵ４５は、交換レンズ４０全体の動作を制御する中央処理装置である。レンズ側ＣＰＵ４５は、ＡＦ制御のためのフォーカシングレンズの移動、手振れ補正のための補正レンズの移動、絞り量の調節のための絞り機構の制御などを行う。
【００４５】
レンズ側ＣＰＵ４５は、レンズ側マウント部４６に取り付けられた相手側機器（本例ではアダプタ６０）から不図示の電気接点を介して給電された電力により起動すると共に、給電された電力により防振制御機構４２などの撮影補助機能を動作させる。
【００４６】
また、レンズ側ＣＰＵ４５は、相手側機器から給電された電力の一部を通信部４４に供給する。そして、通信部４４を介して、レンズ側マウント部４６に取り付けられた相手側機器（メーカーＡの新ボディ又はアダプタ６０）のＣＰＵとの間でデータの送受信を行う。
【００４７】
さらに、レンズ側ＣＰＵ４５は、通信部４４からアダプタ６０に関する所定の固有データを受信した場合は、外部からの制御に依存しないで実行可能な撮影補助機能として、防振制御機構４２などの機能が動作可能となるように設定する。また、レンズ側ＣＰＵ４５は、絞り機構４３が開放絞り位置となるように設定する。
【００４８】
交換レンズ４０のカメラボディ５０側の端部には、レンズ側マウント部４６が設けられている。レンズ側マウント部４６には、交換レンズ４０と同じ規格のボディ側マウント部を有する新ボディ、又はレンズ側マウント部６１を有する本実施形態のアダプタ６０を取り付けることができる。
【００４９】
カメラボディ５０は、被写体像を撮像するための撮像機構５１を備える。撮像機構５１は、アナログ式のカメラボディであれば、銀塩のフィルム供給機構であり、デジタル式のカメラボディであれば、ＣＣＤ又はＣＭＯＳからなる撮像素子である。カメラボディ５０の交換レンズ４０側の端部には、ボディ側マウント部５２が設けられている。ボディ側マウント部５２には、カメラボディ５０と同じ規格のレンズ側マウント部を有する旧レンズ、又は本実施形態のアダプタ６０のボディ側マウント部６２を取り付けることができる。
【００５０】
アダプタ６０は、交換レンズ４０に対して機械的及び電気的に連動しないカメラボディ５０を、交換レンズ４０に取り付け可能とするための接続機器である。アダプタ６０の交換レンズ４０側の端部には、レンズ側マウント部６１が設けられている。レンズ側マウント部６１には、交換レンズ４０と同じ規格のレンズ側マウント部４６を取り付けることができる。また、アダプタ６０のカメラボディ５０側の端部には、ボディ側マウント部６２が設けられている。ボディ側マウント部６２には、カメラボディ５０と同じ規格のボディ側マウント部５２を取り付けることができる。
【００５１】
また、アダプタ６０は、レンズ検出部６３、ボディ検出部６４、通信部６５、第１電源部６６、内部メモリ６７、第２電源部６８、アダプタＣＰＵ６９を備える。
【００５２】
レンズ検出部６３は、アダプタ６０のレンズ側マウント部６１に交換レンズ４０が取り付けられたことを検出する検出手段である。レンズ検出部６３は、交換レンズ４０が取り付けられたことを検出すると、レンズ検出信号をアダプタＣＰＵ６９に送信する。ボディ検出部６４は、アダプタ６０のボディ側マウント部６２にカメラボディ５０が取り付けられたことを検出する検出手段である。ボディ検出部６４はカメラボディ５０が取り付けられたことを検出すると、ボディ検出信号をアダプタＣＰＵ６９に送信する。レンズ検出部６３及びボディ検出部６４の構成は、第１実施形態のレンズ検出部３３及びボディ検出部３４と同じである。
【００５３】
通信部６５は、レンズ側マウント部６１に取り付けられた交換レンズ４０との間でデータの送受信を行う通信手段である。アダプタ６０のレンズ側マウント部６１には、不図示の電気接点が複数設けられている。アダプタ６０のレンズ側マウント部６１に交換レンズ４０のレンズ側マウント部４６を取り付けると、アダプタ６０の電気接点と交換レンズ４０側の電気接点との間が導通して、データの送受信が可能となる。
【００５４】
第１電源部６６は、通信部６５及びアダプタＣＰＵ６９を動作させるための電力を供給する電源手段である。第１電源部６６は、アダプタＣＰＵ６９に対し必要な電力を常時供給している。一方、第１電源部６６から通信部６５への電力の供給は、アダプタＣＰＵ６９により制御されている。図３では、電力の供給ラインを破線で示している。
【００５５】
内部メモリ６７は、アダプタ６０に関する所定の固有データを記憶する記憶手段である。所定の固有データとは、交換レンズ４０のレンズ側マウント部４６に取り付けられた相手側機器が、同じメーカーＡのアダプタであり、且つ、旧ボディであるカメラボディ５０を取り付けるためのアダプタであることを示すデータである。
【００５６】
第２電源部６８は、レンズ側マウント部６１に取り付けられた交換レンズ４０のレンズ側ＣＰＵ４５に対し電力を供給する電源手段である。アダプタ６０のレンズ側マウント部６１に交換レンズ４０のレンズ側マウント部４６を取り付けると、アダプタ６０の電気接点と交換レンズ４０の側の電気接点との間が導通して、アダプタ６０から交換レンズへの電力の供給が可能となる。
【００５７】
アダプタＣＰＵ６９は、アダプタ６０の動作を制御する中央処理装置である。アダプタＣＰＵ６９は、レンズ検出部６３及びボディ検出部６４から、それぞれの検出信号を受信した場合は、第２電源部６８から交換レンズ４０のレンズ側ＣＰＵ４５に電力が供給されるように制御する。また、アダプタＣＰＵ６９は、第１電源部６６から通信部６５に電力が供給されるように制御する。そして、アダプタＣＰＵ６９は、内部メモリ６７に記憶されている所定の固有データを取得し、通信部６５を介して交換レンズ４０に送信する。
【００５８】
次に、上記のように構成されたカメラシステム２において、交換レンズ４０の機能制御を行う場合の処理手順を図４のフローチャートにより説明する。図４では、アダプタ６０と交換レンズ４０の処理をそれぞれ並列的に示している。
【００５９】
アダプタ６０のアダプタＣＰＵ６９は、ステップＳ３０１において、レンズ検出部６３からレンズ検出信号を受信したかどうかを判定する。また、ステップＳ３０２において、アダプタＣＰＵ６９は、ボディ検出部６４からボディ検出信号を受信したかどうかを判定する。ステップＳ３０１及びステップＳ３０２の判定が共にＹＥＳであれば、ステップＳ３０３において、アダプタＣＰＵ６９は、第２電源部６８から交換レンズ４０のレンズ側ＣＰＵ４５に電力が供給されるように制御する。
【００６０】
続くステップＳ３０４において、アダプタＣＰＵ６９は、第１電源部６６から通信部６５に電力が供給されるように制御する。ステップＳ３０５において、アダプタＣＰＵ６９は、内部メモリ６７から所定の固有データを取得し、ステップＳ３０６において、通信部６５を介して交換レンズ４０に送信する。
【００６１】
一方、交換レンズ４０では、ステップＳ４０１において、アダプタ６０から給電された電力によりレンズ側ＣＰＵ４５を起動する。ステップＳ４０２において、レンズ側ＣＰＵ４５は、給電された電力の一部を通信部４４に供給する。ステップＳ４０３において、レンズ側ＣＰＵ４５は、通信部４４からデータを受信し、ステップＳ４０４において、受信したデータがアダプタ６０に関する所定の固有データかどうかを判定する。この判定でＹＥＳであれば、ステップＳ４０５において、レンズ側ＣＰＵ４５は、外部からの制御に依存しないで実行可能な撮影補助機能が動作可能となるように設定する。
【００６２】
続いて、ステップＳ４０６において、レンズ側ＣＰＵ４５は、絞り機構４３が開放絞り位置となるように設定して、本フローチャートの処理を終了する。また、ステップＳ４０４の判定でＮＯであれば、ステップＳ４０７において、レンズ側ＣＰＵ４５は、その他の処理を実施して、本フローチャートの処理を終了する。
【００６３】
以上説明した第２実施形態によれば、以下のような効果を奏する。
（１）交換レンズ（新レンズ）４０にアダプタ６０を介してカメラボディ（旧ボディ）５０を取り付けると、交換レンズ４０では、外部からの制御に依存しないで実行可能な撮影補助機能が動作可能となるように設定されるので、ユーザは、新レンズと旧ボディとを組み合わせた場合においても、新レンズで使用することができる撮影補助機能を十分に活かした撮影を行うことができる。
（２）アダプタ６０から供給された電力により、交換レンズ４０の撮影補助機能を動作させるようにしたので、カメラボディ５０が交換レンズ４０に対して給電する機能を持たない場合でも、交換レンズ４０の撮影補助機能を動作させることができる。
（３）アダプタ６０にカメラボディ５０と交換レンズ４０とが取り付けられたときに、アダプタ６０の第１電源部６６から通信部６５に電力が供給されるので、アダプタ６０が使用されない期間の不要な電力消費を抑えることができる。
（４）交換レンズ４０において、アダプタ６０に関する所定の固有データを受信した場合は、絞り機構４３が開放絞り位置に設定されるので、ユーザは被写体が暗い場合においても、撮影を行うことができる。
【００６４】
（変形形態）
以上説明した実施形態に限定されることなく、本発明は以下に示すような種々の変形や変更が可能であり、それらも本発明の範囲内である。
（１）第１実施形態において、カメラボディ２０で設定された、動作可能な撮影補助機能のすべての項目を液晶モニタ２４に表示し、ユーザに所望の機能を選択させるようにしてもよい。
（２）第１実施形態において、例えば、カメラボディ２０がボディ内駆動ＡＦとレンズ内駆動ＡＦの両方に対応している場合は、ボディ内駆動ＡＦのみが動作可能となるように設定し、レンズ内駆動ＡＦの動作が制限されるように設定する。また、音声録音モードとして、カメラボディ２０が、ボディ内マイクモードとレンズ内マイクモードの両方に対応している場合は、ボディ内マイクモードに設定し、レンズ内マイクモードを設定しないようにする。さらに、防振制御（ＶＲ）機能として、カメラボディ２０が、ボディ内駆動ＶＲモードとレンズ内駆動ＶＲモードの両方に対応している場合は、ボディ内駆動ＶＲモードに設定し、レンズ内駆動ＶＲモードを設定しないようにする。このように、カメラボディ２０が、カメラボディ側とレンズ側の双方に設けられた同じ撮影補助機能に対応している場合は、カメラボディ２０側のみで実施可能な撮影補助機能が動作可能となるように設定することにより、交換レンズ１０の機能に係わらず、カメラボディ２０側で適切な撮影補助機能の設定を行うことができる。
（３）第２実施形態において、交換レンズ４０が外部からの制御に依存しないで実行可能な撮影補助機能としては、防振制御機構４２に限らず、パワーズーム機能やパワーフォーカス機能などであってもよい。これ以外にも、ユーザの手動操作により動作する機能や、交換レンズ４０内に設けられた制御装置により自動的に動作する機能を対象とすることができる。
（４）第２実施形態において、交換レンズ４０の鏡筒に撮影補助機能の有効（点灯）、無効（消灯）を示すランプなどが設けられている場合に、その撮影補助機能が動作可能となるように設定された場合は、対応するランプを点灯させるようにしてもよい。
（５）第２実施形態において、交換レンズ４０の鏡筒に撮影補助機能のオン、オフを切り替えるスイッチなどが設けられている場合に、ユーザがスイッチをオフに切り替えた場合は、その撮影補助機能が動作しないように設定を変更するようにしてもよい。
（６）第２実施形態において、アダプタ６０に、交換レンズ４０の絞り機構４３を調節するための絞りリング、又は絞り設定ボタンなどを設けてもよい。
（７）第２実施形態において、交換レンズ４０内に電源部を設けた構成としてもよい。このような構成とすることにより、アダプタ６０から電力が供給されない場合でも、撮影補助機能を動作させることができる。さらに、カメラボディ５０が外部に供給可能な電源部を備えている場合は、アダプタ６０を経由して交換レンズ４０に電力を供給するようにしてもよい。
（８）第１及び第２実施形態において、アダプタに電源をオン／オフするスイッチを設けてもよい。また、交換レンズやカメラボディが取り付けられると、自動的に電源オンし、外されると電源がオフするようにしてもよい。
（９）第１及び第２実施形態では、本発明に係わるアダプタを、いわゆるレンズコンバータに適用した例について示したが、本発明のアダプタはこれに限らず、接写用の中間リングやベローズなどに適用することもできる。また、テレコンバータのように、交換レンズと共にカメラボディ側に被写体像を結像する光学部材を備えた構成としてもよい。
（１０）第１及び第２実施形態では、カメラシステムとして、レンズ交換可能なアナログ又はデジタルカメラシステムを例に挙げて説明したが、これに限らず、レンズ交換可能なビデオカメラシステムにも適用することができる。
【００６５】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００６６】
１，２：カメラシステム、１０，４０：交換レンズ、２０，５０：カメラボディ、２２，４２：防振制御機構、２４：液晶モニタ、２５：ボディ側ＣＰＵ、３０，６０：アダプタ、３８，６９：アダプタＣＰＵ、４５：レンズ側ＣＰＵ
【図１】
2012118376.tif 000003
【図２】
2012118376.tif 000004
【図３】
2012118376.tif 000005
【図４】
2012118376.tif 000006